(57)【要約】【課題】プラントの運転時間に基づくタイミングで交換が必要な部品を、プラントの点検時に不足しないように補充可能な在庫部品の在庫管理システムを提供する。【解決手段】プラントの在庫部品を管理するための在庫管理システムであって、対象プラントの運転時間を含む運転データ情報に基づいて、対象プラントの次回の点検時に交換すべき部品の種別及び数量を含む点検推奨情報を決定するように構成された点検推奨情報決定部と、対象プラントの在庫部品の少なくとも一つの種別について、在庫部品の数量が点検推奨情報における交換すべき部品の数量に対して不足している場合に、補充推奨情報を出力するように構成された補充推奨情報出力部と、を備える。【選択図】  図４
2020164268.tif 000002
【特許請求の範囲】
【請求項１】
少なくとも１つのプラントの在庫部品を管理するための在庫管理システムであって、
対象プラントの運転時間を含む運転データ情報に基づいて、前記対象プラントの次回の点検時に交換すべき部品の種別及び数量を含む点検推奨情報を決定するように構成された点検推奨情報決定部と、
前記対象プラントの前記在庫部品の少なくとも一つの種別について、前記在庫部品の数量が前記点検推奨情報における前記交換すべき部品の数量に対して不足している場合に、補充推奨情報を出力するように構成された補充推奨情報出力部と、
を備える、在庫管理システム。
【請求項２】
前記対象プラントの在庫部品を前記対象プラントのユーザーが管理するための在庫管理ＤＢから前記対象プラントの前記在庫部品の種別及び数量を含む在庫情報を取得するように構成された在庫情報取得部を更に備える、請求項１に記載の在庫管理システム。
【請求項３】
前記補充推奨情報は、前記点検推奨情報における前記交換すべき部品の数量に対する前記対象プラントの在庫部品の数量の不足分を示す情報を含む、請求項１又は２に記載の在庫管理システム。
【請求項４】
前記対象プラントの前記補充推奨情報と、少なくとも１つの他プラントの在庫部品の種別及び数量を含む他プラント在庫情報とに基づいて、前記他プラントから前記対象プラントに送付する在庫部品の種別及び数量を決定するように構成された送付数量決定部を更に備える、請求項３に記載の在庫管理システム。
【請求項５】
前記対象プラントについての前記補充推奨情報が示す前記対象プラントの前記在庫部品の数量の前記不足分と、前記他プラントについての補充推奨情報が示す前記他プラントの前記在庫部品の数量の不足分とを集約した数量で、前記在庫部品の納期及び費用の見積もりを依頼するように構成された見積依頼部を更に備える、請求項４に記載の在庫管理システム。
【請求項６】
前記点検推奨情報決定部は、前記運転データ情報及びＢＯＭ情報に基づいて、前記点検推奨情報を決定するように構成された、請求項１乃至５の何れか１項に記載の在庫管理システム。
【請求項７】
前記在庫部品の識別情報を検出するための検出装置と、
前記検出装置によって検出した前記識別情報と前記検出装置によって検出した前記識別情報の個数とに基づいて、前記対象プラントの在庫部品を前記対象プラントのサプライヤーが管理するための在庫管理ＤＢを更新するように構成された在庫管理ＤＢ更新部と、
を更に備える、請求項１乃至６の何れか１項に記載の在庫管理システム。
【請求項８】
前記対象プラントの未使用の在庫部品の所有権を、前記対象プラントに部品を供給するサプライヤーに属する所有権として管理するように構成された所有権管理部を更に備える、請求項７に記載の在庫管理システム。
【請求項９】
前記所有権管理部は、前記対象プラントの前記未使用の在庫部品の識別情報が前記検出装置によって検出されたことを条件として、前記未使用の在庫部品の所有権を前記サプライヤーから前記プラントのユーザーに移転する移転処理を実行するように構成された、請求項８に記載の在庫管理システム。
【請求項１０】
少なくとも１つのプラントにおける在庫部品を管理するための在庫管理方法であって、
対象プラントの運転時間を含む運転データ情報に基づいて、前記対象プラントの次回の点検時に交換すべき部品の種別及び数量を含む点検推奨情報を決定するステップと、
前記対象プラントの前記在庫部品の少なくとも一つの種別について、前記在庫部品の数量が前記点検推奨情報における前記交換すべき部品の数量に対して不足している場合に、補充推奨情報を出力するステップと、
を備える、在庫管理方法。
【発明の詳細な説明】
【技術分野】
【０００１】
本開示は、在庫管理システム及び在庫管理方法に関する。
【背景技術】
【０００２】
特許文献１には、原子力プラントに異常予兆が発生した場合に原子力プラントの保全作業を効率よく行うことができるプラント保全支援システムが開示されている。特許文献１に記載のプラント保全支援システムは、異常予兆の検知結果に基づいて異常予兆設備に対する保全作業の実施時期を設定し、必要な部品を手配するように構成されている。
【先行技術文献】
【特許文献】
【０００３】
【特許文献１】特開２０１７−６２２０８号公報
【発明の概要】
【発明が解決しようとする課題】
【０００４】
ところで、ガスタービン等のプラントには、プラントの運転時間に基づくタイミングで交換が必要な部品が使用されている。
【０００５】
この点、上記特許文献１には、異常予兆の検知結果に基づいて交換が必要な部品を手配する部品管理システムは記載されているが、プラントの運転時間に基づくタイミングで交換が必要な部品について、プラントの点検時に不足しないように在庫部品を管理するための構成については記載されていない。
【０００６】
上述の事情に鑑みて、本発明の少なくとも一実施形態は、プラントの運転時間に基づくタイミングで交換が必要な部品を、プラントの点検時に不足しないように補充可能な在庫部品の在庫管理システム及び在庫管理方法を提供することを目的とする。
【課題を解決するための手段】
【０００７】
（１）本発明の少なくとも一実施形態に係る在庫管理システムは、
少なくとも１つのプラントの在庫部品を管理するための在庫管理システムであって、
対象プラントの運転時間を含む運転データ情報に基づいて、前記対象プラントの次回の点検時に交換すべき部品の種別及び数量を含む点検推奨情報を決定するように構成された点検推奨情報決定部と、
前記対象プラントの前記在庫部品の少なくとも一つの種別について、前記在庫部品の数量が前記点検推奨情報における前記交換すべき部品の数量に対して不足している場合に、補充推奨情報を出力するように構成された補充推奨情報出力部と、
を備える。
【０００８】
上記（１）に記載の在庫管理システムによれば、対象プラントの運転時間を含む運転データ情報を考慮して点検推奨情報が決定されるため、対象プラントの運転時間に基づくタイミングで交換が必要な部品を、次回の点検時に不足しないように補充推奨情報に基づいて補充することができる。
【０００９】
（２）幾つかの実施形態では、上記（１）に記載の在庫管理システムにおいて、
前記対象プラントの在庫部品を前記対象プラントのユーザーが管理するための在庫管理ＤＢから前記対象プラントの前記在庫部品の種別及び数量を含む在庫情報を取得するように構成された在庫情報取得部を更に備える。
【００１０】
上記（２）に記載の在庫管理システムによれば、対象プラントのユーザーが所有している在庫部品の種別及び数量を考慮して、点検推奨情報や補充推奨情報を決定することができる。
【００１１】
（３）幾つかの実施形態では、上記（１）又は（２）に記載の在庫管理システムにおいて、
前記補充推奨情報は、前記点検推奨情報における前記交換すべき部品の数量に対する前記対象プラントの在庫部品の数量の不足分を示す情報を含む。
【００１２】
上記（３）に記載の在庫管理システムによれば、点検推奨情報における交換すべき部品の数量に対する対象プラントの在庫部品の数量の不足分を補充推奨情報に基づいて補充することにより、対象プラントの次回の点検に必要な部品を適切に確保することができる。
【００１３】
（４）幾つかの実施形態では、上記（３）に記載の在庫管理システムにおいて、
前記対象プラントの前記補充推奨情報と、少なくとも１つの他プラントの在庫部品の種別及び数量を含む他プラント在庫情報とに基づいて、前記他プラントから前記対象プラントに送付する在庫部品の種別及び数量を決定するように構成された送付数量決定部を更に備える。
【００１４】
上記（４）に記載の在庫管理システムによれば、送付数量決定部が決定した在庫部品の種別及び数量を他プラントから対象プラントに送付することにより、対象プラントの在庫部品の不足分を、部品メーカーに在庫がなくとも速やかに対象プラントが取得することができる。また、プラント間で在庫部品を融通可能とすることにより、プラントに必要な在庫部品の数量を低減することができ、プラントにおける在庫部品の保管スペースを他の用途に有効活用することができる。
【００１５】
（５）幾つかの実施形態では、上記（４）の何れかに記載の在庫管理システムにおいて、
前記対象プラントについての前記補充推奨情報が示す前記対象プラントの前記在庫部品の数量の前記不足分と、前記他プラントについての補充推奨情報が示す前記他プラントの前記在庫部品の数量の不足分とを集約した数量で、前記在庫部品の納期及び費用の見積もりを依頼するように構成された見積依頼部を更に備える。
【００１６】
上記（５）に記載の在庫管理システムによれば、対象プラントの在庫部品の数量の不足分と他プラントの在庫部品の数量の不足分を集約した数量で見積依頼することにより、対象プラントの在庫部品の数量の不足分と他プラントの在庫部品の数量の不足分とを別々に見積依頼する場合と比較して、ボリュームディスカウントの適用を受けやすくなり、在庫部品の購入費用を削減することが容易となる。
【００１７】
（６）幾つかの実施形態では、上記（１）乃至（５）の何れかに記載の在庫管理システムにおいて、
前記点検推奨情報決定部は、前記運転データ情報及びＢＯＭ情報に基づいて、前記点検推奨情報を決定するように構成される。
【００１８】
上記（６）に記載の在庫管理システムによれば、運転データ情報が示す対象プラントの運転時間と、ＢＯＭ情報が示す対象プラントの製品の部品表とを考慮して、対象プラントの次回の点検時に交換すべき部品の種別及び数量を決定することができる。
【００１９】
（７）幾つかの実施形態では、上記（１）乃至（６）の何れかに記載の在庫管理システムにおいて、
前記在庫部品の識別情報を検出するための検出装置と、
前記検出装置によって検出した前記識別情報と前記検出装置によって検出した前記識別情報の個数とに基づいて、前記対象プラントの在庫部品を前記対象プラントのサプライヤーが管理するための在庫管理ＤＢを更新するように構成された在庫管理ＤＢ更新部と、
を更に備える。
【００２０】
上記（７）に記載の在庫管理システムによれば、検出装置によって検出した識別情報と検出装置によって検出した識別情報の個数とを考慮して、在庫部品の種別及び数量を良好な精度で管理することができる。
【００２１】
（８）幾つかの実施形態では、上記（７）に記載の在庫管理システムにおいて、
前記対象プラントの未使用の在庫部品の所有権を、前記対象プラントに部品を供給するサプライヤーに属する所有権として管理するように構成された所有権管理部を更に備える。
【００２２】
上記（８）に記載の在庫管理システムによれば、対象プラントのユーザーは、対象プラントに部品の保管場所を用意するだけで部品の資産管理（償却等）が不要となり、部品の廃棄やリサイクルは部品のサプライヤー側が行うことができるため、費用の節約が可能となる。
【００２３】
（９）幾つかの実施形態では、上記（８）に記載の在庫管理システムにおいて、
前記所有権管理部は、前記対象プラントの前記未使用の在庫部品の識別情報が前記検出装置によって検出されたことを条件として、前記未使用の在庫部品の所有権を前記サプライヤーから前記プラントのユーザーに移転する移転処理を実行するように構成される。
【００２４】
上記（９）に記載の在庫管理システムによれば、対象プラントで在庫部品の識別情報を検出装置で検出することにより、サプライヤーからプラントのユーザーへの所有権の移転をスムーズに行うことができる。
【００２５】
（１０）本発明の少なくとも一実施形態に係る在庫管理方法は、
少なくとも１つのプラントにおける在庫部品を管理するための在庫管理方法であって、
対象プラントの運転時間を含む運転データ情報に基づいて、前記対象プラントの次回の点検時に交換すべき部品の種別及び数量を含む点検推奨情報を決定するステップと、
前記対象プラントの前記在庫部品の少なくとも一つの種別について、前記在庫部品の数量が前記点検推奨情報における前記交換すべき部品の数量に対して不足している場合に、補充推奨情報を出力するステップと、
を備える。
【００２６】
上記（９）に記載の在庫管理方法によれば、対象プラントの運転時間を含む運転データ情報を考慮して点検推奨情報が決定されるため、対象プラントの運転時間に基づくタイミングで交換が必要な部品を、次回の点検時に不足しないように補充推奨情報に基づいて補充することができる。
【発明の効果】
【００２７】
本発明の少なくとも一つの実施形態によれば、プラントの運転時間に基づくタイミングで交換が必要な部品を、プラントの点検時に不足しないように補充可能な在庫部品の在庫管理システム及び在庫管理方法が提供される。
【図面の簡単な説明】
【００２８】
【図１】本発明の一実施形態に係る在庫管理システム２の概念図である。
【図２】図１に示した在庫管理システム２の概略的なハードウェア構成を示すブロック図である。
【図３】図２に示した制御部６の機能的な構成を示すブロック図である。
【図４】在庫管理システム２における在庫管理のフローの一部を示す図である。
【図５】在庫管理システム２における在庫管理のフローの一部を示す図である。
【図６】在庫管理システム２における在庫管理のフローの一部を示す図である。
【図７】在庫管理システム２における在庫管理のフローの一部を示す図である。
【発明を実施するための形態】
【００２９】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００３０】
図１は、本発明の一実施形態に係る在庫管理システム２の概念図である。
図１に示す在庫管理システム２は、複数のプラント４（４Ａ〜４Ｅ）の倉庫に保管されている在庫部品について、在庫部品の種別（部品名）毎に、個数、納品日、所在プラント及び所在地域といった情報を管理するシステムである。在庫管理システム２は、プラント４のユーザー側ではなくプラント４に部品を供給するサプライヤー側でプラント４の倉庫に保管されている在庫部品の数的情報及び場所的情報等を管理する。在庫管理システム２は、各プラント４の運転時間に基づくタイミングで交換が必要な部品を、各プラントの点検時頭に不足しないように管理する。
【００３１】
プラント４Ａ〜４Ｅの種類は、特に限定されないが、例えばガスタービンを用いたコンバインドサイクル発電プラント等、プラントの運転時間に基づくタイミングで交換が必要な部品を備えるプラントである。プラント４Ａ〜４Ｅがガスタービンを含むプラントである場合には、在庫部品の種別は、例えばタービン翼、ボルト、ワッシャー及びフィルター等が、プラントの運転時間に基づくタイミングで交換が必要な消耗部品として挙げられる。
【００３２】
在庫管理システム２は、後述するように、在庫部品を所在地域（プラント４の所在地域）内の複数のプラント間で融通できるように構成されている。例えば、図１に示す例では、在庫管理システム２は、地域Ａのプラント４Ａ〜４Ｃの間で必要な在庫部品を融通するとともに、地域Ｂのプラント４Ｄ及び４Ｅの間で必要な在庫部品を融通するように構成されている。
【００３３】
図２は、図１に示した在庫管理システム２の概略的なハードウェア構成を示すブロック図である。
【００３４】
プラント４Ａ〜４Ｅの各倉庫には、各プラント４内の製品の定期点検や修理に必要な複数の在庫部品が保管されている。各在庫部品又は複数の在庫部品を包装する個装には、在庫部品の識別情報を記憶した識別情報記憶部としての非接触電子タグ２０が付されている。複数の在庫部品を包装する個装に付された非接触電子タグ２０には、個装内の在庫部品の個数等の情報も更新可能に保存されている。以降で説明する実施形態では、非接触電子タグ２０としてＲＦＩＤ（Ｒａｄｉｏ  Ｆｒｅｑｕｅｎｃｙ  Ｉｄｅｎｔｉｆｉｅｒ）タグを用いる場合を例示する。なお、他の実施形態では、識別情報記憶部として、例えばＱＲコード（登録商標）等の２次元コードやバーコード（１次元コード）を在庫部品に付してもよい。
【００３５】
図２に示すように、在庫管理システム２は、制御部６、記憶部８、リーダー１０（検出装置）、重量計１２、通信インターフェース（通信Ｉ／Ｆ）１４、表示部１６及び操作受付部１８を備える。これらのハードウェアの各々は、バス１９を介して通信可能に接続されている。
【００３６】
制御部６は、記憶部８からプログラムやデータを読み出して処理を実行する演算装置であり、例えばＣＰＵによって構成される。
【００３７】
記憶部８は、例えばＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）等から構成される。記憶部８は、各種制御処理を実行するためのプログラム、各種データ等を記憶する。記憶部８は、各プラント４Ａ〜４Ｅの在庫部品の種別毎に個数、納品日、所在プラント及び所在地域といった情報を記憶する在庫管理ＤＢ２４（各プラント４の在庫部品をプラント４のサプライヤーが管理するための在庫管理ＤＢ）と、各プラント４Ａ〜４Ｅで使用される製品の部品表を示すＢＯＭ情報を記憶するＢＯＭ情報ＤＢ２６とを含む。
【００３８】
リーダー１０は、複数の部品（在庫部品又は搬送中の部品）の識別情報及び検出した識別情報の個数を部品に付された非接触電子タグ２０から一括で検出可能に構成される。本実施形態では、リーダー１０は、複数のＲＦＩＤタグから非接触で識別情報及びその個数を一括で読み取り可能なＲＦＩＤリーダーである。リーダー１０は、例えばプラント４Ａ〜４Ｅの各々においてドローンに搭載されてプラント内を飛行しながら在庫部品の識別情報を読み取るように構成されてもよいし、ハンディリーダーとして構成されて作業員が手作業で在庫部品の識別情報及びその個数を読み取ってもよいし、各プラントまでの行程途中又は各プラントの倉庫等に設けられた関門に定置センサとして設置されて関門を通る部品の識別情報及びその個数情報を読み取ってもよい。
【００３９】
重量計１２は、例えばプラント４Ａ〜４Ｅの各々までの行程途中又はプラント４Ａ〜４Ｅの各々の倉庫等の関門に設置され、関門を通る在庫部品の重量を測定可能に構成される。
【００４０】
通信インターフェース１４は、各プラント４Ａ〜４Ｅの運転状態を監視するプラント監視サーバ２８から各プラント４Ａ〜４Ｅの運転時間（各プラント４Ａ〜４Ｅの累積稼働時間）を含む運転データ情報を受信可能に構成されている。また、通信インターフェース１４は、各プラント４Ａ〜４ＥのユーザーがシステムＤＢ３０や在庫部品を管理するための在庫管理ＤＢ３２を所有する場合に、これらのＤＢと通信可能に構成されている。
【００４１】
表示部１６は、例えばディスプレイ等であり、在庫管理システム２の処理結果を表示する。操作受付部１８は、例えばキーボードやマウス、タッチパネル等であり、在庫管理システム２を操作する操作員が各種操作を入力するのに用いられる。
【００４２】
次に、図３を用いて制御部６の機能的な構成を説明する。
図３に示すように、制御部６は、在庫情報取得部３４、点検推奨情報決定部３６、補充推奨情報出力部３８、送付数量決定部４０、新規手配数量決定部４１、補充推奨情報集約部４２、見積依頼部４４、部品手配部４６、重量判定部４８、在庫管理ＤＢ更新部５０、所有権管理部５２及び取り出し数量集約部５４を含む。制御部６におけるこれらの機能的な構成は、例えば、記憶部８に保持されるプログラムを制御部６を構成するＣＰＵが実行することにより構成される。
【００４３】
在庫情報取得部３４は、在庫管理システム２の運用開始に際し、プラント４Ａ〜４Ｅの各々について、在庫部品を管理するための在庫管理ＤＢ２４が在庫管理システム２の外部に既に存在する場合に、該在庫管理ＤＢ２４から各プラント４の在庫部品の種別及び数量を含む在庫情報を取得するように構成されている。例えば、在庫情報取得部３４は、プラント４Ａの在庫部品を管理するための在庫管理ＤＢ２４が在庫管理システム２の外部に既に存在する場合に、該在庫管理ＤＢ２４からプラント４Ａの在庫部品の種別及び数量を含む在庫情報を取得するように構成される。
【００４４】
点検推奨情報決定部３６は、プラント４Ａ〜４Ｅの各々について、プラント監視サーバ２８から取得したプラント４Ａ〜４Ｅの運転時間（各プラント４Ａ〜４Ｃの累積稼働時間）を含む運転データ情報と、プラント４Ａ〜４ＥのＢＯＭ情報に基づいて、プラント４Ａ〜４Ｅの次回の定期点検時に交換すべき部品の種別及び数量を含む点検推奨情報を決定するように構成されている。例えば、点検推奨情報決定部３６は、プラント監視サーバ２８から受信したプラント４Ａの運転時間を含む運転データ情報と、プラント４ＡのＢＯＭ情報とに基づいて、プラント４Ａの次回の定期点検時に交換すべき部品の種別及び数量を含む点検推奨情報を決定するように構成される。点検推奨情報は、プラント４Ａ〜４Ｅの次回の定期点検時に交換すべき部品の種別及び数量とともに、プラント４Ａ〜４Ｅの次回の定期点検の時期も含む。
【００４５】
補充推奨情報出力部３８は、プラント４Ａ〜４Ｅの在庫部品の少なくとも一つの種別について、在庫部品の数量が点検推奨情報における交換すべき部品の数量に対して不足している場合に、在庫部品の数量が不足しているプラントについて補充推奨情報を出力するように構成されている。例えば、補充推奨情報出力部３８は、プラント４Ａの在庫部品の少なくとも一つの種別について、在庫部品の数量が点検推奨情報における交換すべき部品の数量に対して不足している場合に、プラント４Ａについて補充推奨情報を出力するように構成される。補充推奨情報は、点検推奨情報における交換すべき部品の数量に対する対象プラントの在庫部品の数量の不足分を示す情報と、該不足分をいつまでに取得する必要があるかを示す時期的情報とを含む。
【００４６】
送付数量決定部４０は、プラント４Ａ〜４Ｅのうち在庫部品が不足している対象プラントの補充推奨情報と、対象プラントと同一地域に属する他プラントの在庫部品の種別及び数量を含む他プラント在庫情報と、に基づいて、他プラントから対象プラントに送付する在庫部品の種別及び数量を決定するように構成されている。例えば、送付数量決定部４０は、プラント４Ａの補充推奨情報と、プラントＡと同一地域に属する他プラントであるプラント４Ｂ，４Ｃの在庫部品の種別及び数量を含む他プラント在庫情報とに基づいて、プラント４Ｂ，４Ｃの各々からプラント４Ａに送付する在庫部品の種別及び数量を決定する。また、例えば、送付数量決定部４０は、プラント４Ａの補充推奨情報が示す在庫部品の不足分をプラント４Ｂの在庫部品によってプラント４Ａの次回点検時までに補うことができる場合に、プラント４Ａの補充推奨情報が示す在庫部品の不足分に相当する在庫部品の種別及び数量をプラントＢからプラント４Ａに送付する在庫部品の種別及び数量として決定する。
【００４７】
新規手配数量決定部４１は、プラント４Ａ〜４Ｅのうちの在庫部品が不足している対象プラントの補充推奨情報と、対象プラントと同じ地域に属する他プラントの在庫部品の種別及び数量を含む他プラント在庫情報とに基づいて、対象プラント向けに部品メーカーから新規に手配する必要がある部品の種別及び数量を決定するように構成されている。例えば、新規手配数量決定部４１は、プラントＡの補充推奨情報と、プラントＡと同一地域に属する他プラントであるプラント４Ｂ，４Ｃの在庫部品の種別及び数量を含む他プラント在庫情報とに基づいて、対象プラント４Ａ向けに部品メーカーから新規に手配する必要がある部品の種別及び数量を決定する。また、例えば、新規手配数量決定部４１は、プラント４Ａの補充推奨情報が示す在庫部品の数量の不足分のうち、プラント４Ｂ，４Ｃの在庫部品で補えない数量を、プラント４Ａ向けに部品メーカーから新規に手配する必要がある部品の数量として算出する。
【００４８】
補充推奨情報集約部４２は、複数のプラント４Ａ〜４Ｅの補充推奨情報を地域毎に集約するように構成されている。例えば、補充推奨情報集約部４２は、プラント４Ａの補充推奨情報と、プラント４Ｂの補充推奨情報と、プラント４Ｃの補充推奨情報とに基づいて、プラント４Ａの補充推奨情報が示す交換すべき部品の数量に対するプラント４Ａの在庫部品の数量の不足分と、プラント４Ｂの補充推奨情報が示す交換すべき部品の数量に対するプラント４Ｂの在庫部品の数量の不足分と、プラント４Ｃの補充推奨情報が示す交換すべき部品の数量に対するプラント４Ｃの在庫部品の数量の不足分と、を集約（合計）する。
【００４９】
見積依頼部４４は、同一地域に属する複数のプラント４について、補充推奨情報が示す交換すべき部品の数量に対する在庫部品の数量の不足分を集約した合計数量で、部品メーカーに部品の費用及び納期の見積もりを依頼するように構成されている。例えば、見積依頼部４４は、プラント４Ａの補充推奨情報が示す交換すべき部品の数量に対するプラント４Ａの在庫部品の数量の不足分と、プラント４Ｂの補充推奨情報が示す交換すべき部品の数量に対するプラント４Ｂの在庫部品の数量の不足分と、プラント４Ｃの補充推奨情報が示す交換すべき部品の数量に対するプラント４Ｃの在庫部品の数量の不足分と、を集約した合計数量で、部品メーカーに部品の費用及び納期の見積もりを依頼する。
【００５０】
部品手配部４６は、プラント４Ａ〜４Ｅの各々の部品の手配計画を確定するように構成されている。すなわち、プラント４Ａ〜４Ｅの各々について、次回の定期点検時に交換すべき部品のうち在庫が不足している部品の種別及び不足数量を示すリストと、各部品の手配先と、各部品の納期とを確定する。
【００５１】
重量判定部４８は、プラント４Ａ〜４Ｅの各々について、上記関門に設置された重量計１２により測定した部品の総重量が、リーダー１０で検出した識別情報及び識別情報の個数から推定される重量よりも少ないか否かを判定するように構成されている。
【００５２】
在庫管理ＤＢ更新部５０は、プラント４Ａ〜４Ｅの各々について、リーダー１０で検出した非接触電子タグ２０の識別情報及び検出した識別情報の個数に基づいて、在庫管理システム２の在庫管理ＤＢ２４を更新するように構成されている。
【００５３】
所有権管理部５２は、プラント４Ａ〜４Ｅの各々について、未使用の在庫部品の所有権を、プラント４Ａ〜４Ｅに部品を供給するサプライヤーに属する所有権として管理するように構成されている。例えば、所有権管理部５２は、プラント４Ａの未使用の在庫部品の所有権を、プラント４Ａに部品を供給するサプライヤーに属する所有権として管理する。
【００５４】
また、所有権管理部５２は、プラント４Ａ〜４Ｅの未使用の在庫部品の識別情報がリーダー１０によって検出されたことを条件として、当該未使用の在庫部品の所有権をサプライヤーからプラントのユーザーに移転する移転処理を実行するように構成される。例えば、所有権管理部５２は、プラント４Ａの未使用の在庫部品の識別情報がリーダー１０によって検出されたことを条件として、当該未使用の在庫部品の所有権をサプライヤーからプラントのユーザーに移転する移転処理を実行する。したがって、例えばプラント４Ａの点検時に使用するためにプラント４Ａ内でリーダー１０によって識別情報を検出された在庫部品は、プラント４Ａに在庫部品を供給するサプライヤーの資産から、プラント４Ａのユーザーの資産となる。
【００５５】
取り出し数量集約部５４は、在庫部品の種別毎に、プラント４Ａで在庫部品を収容する必要部品取り出し箱から取り出された在庫部品の数量と、プラント４Ｂで必要部品取り出し箱から取り出された在庫部品の数量と、プラント４Ｃで必要部品取り出し箱から取り出された在庫部品の数量を集約する。各プラントで必要部品取り出し箱から取り出された在庫部品の種別毎の数量は、リーダー１０で検出した在庫部品の識別情報及び検出した識別情報の個数に基づいて決定される。
【００５６】
上記在庫管理システム２では、プラント４Ａ〜４Ｅに部品を供給するサプライヤーからプラント４Ａ〜４Ｅまで、流通途中の倉庫の在庫部品も含めて在庫情報をサプライヤー側の在庫管理システム２により管理する。
【００５７】
また、在庫管理システム２は、プラント監視サーバ２８から定期点検や故障等のメンテナンス情報を受けて、倉庫（工場）からプラント４（客先）までに保管されている在庫部品の種別及び数量を含む部品情報を収集し、作業に必要な部品を手配し準備する。
【００５８】
在庫管理システム２では、定期点検や修理に必要な部品について、個々の部品又は複数部品を包装する個装に個数等の情報を更新可能な非接触電子タグ２０が付されて、個装の場合には非接触電子タグ２０に部品の個数も更新可能に保存される。
【００５９】
在庫管理システム２によれば、定期点検時だけでなく故障やトラブル等で突発的に交換又は補修が必要になる部品を、複数のプラント４間で融通可能となり、故障やトラブルへの対応をタイムリーに行うことができる。このため、プラント４の稼働停止時間の短縮に寄与することができる。
【００６０】
また、プラント４のユーザー側は、保管場所を用意するだけで、資産管理（償却等）が不要となり、交換部品の廃棄やリサイクルもサプライヤー側で行うため、費用の節約が可能となる。また、プラント４のユーザーへの消耗品の売却だけでなく、メンテナンス作業とのパック（セット）管理も可能となる。
【００６１】
次に、図４〜図７を用いて、在庫管理システム２における在庫管理のフローを説明する。図４〜図７では、プラント４Ａ〜４Ｅのうち、プラント４Ａを対象プラントとした在庫管理のフローの一例を示している。なお、図４〜図７に示すフローは、便宜的に一連のフローとして示しているが、必ずしも一連である必要はなく、例えば図４〜図５に示すフローを一連の独立したフローとし、該フローとは別に、図６及び図７に示すフローを一連の独立したフローとしてもよい。
【００６２】
図４に示すように、まず、Ｓ１０１にて、在庫管理システム２はプラント４ＡのシステムＤＢ３０と連携し、Ｓ１０２にて、在庫情報取得部３４は、プラント４Ａの在庫部品を管理するための既存の在庫管理ＤＢ３２（在庫管理システム２の外部に設けられた在庫管理ＤＢ）からプラント４Ａの在庫部品の種別及び数量を含む在庫情報を取得し、該在庫情報に基づいて在庫管理システム２の在庫管理ＤＢ２４を在庫管理ＤＢ更新部５０が更新する。
【００６３】
次に、Ｓ１０３にて、点検推奨情報決定部３６は、プラント４Ａの運転時間を含む運転データ情報に基づいて、プラント４Ａの次回の点検時期と、プラント４Ａの次回の点検時に交換すべき部品の種別及び数量と、を含む点検推奨情報を決定する。
【００６４】
次に、Ｓ１０４にて、補充推奨情報出力部３８は、プラント４Ａの在庫部品の種別毎に、在庫部品の数量が点検推奨情報における交換すべき部品の数量に対して不足しているか否かを確認する。そして、プラント４Ａの在庫部品の各種別について、在庫部品の数量が点検推奨情報における交換すべき部品の数量に対して不足している場合に、Ｓ１０５にて、補充推奨情報出力部３８は、プラント４Ａに対する補充推奨情報を出力する。ここでの補充推奨情報は、点検推奨情報における交換すべき部品の数量に対する在庫部品の数量の不足分を示す情報（手配が必要な部品の種別及び数量）と、該不足分をいつまでに取得する必要があるかを示す時期的情報（部品の納期）とを含む。在庫部品の数量が点検推奨情報における交換すべき部品の数量に対して不足していない場合には、Ｓ１１３に移行する。
【００６５】
Ｓ１０６にて、送付数量決定部４０は、プラント４Ａの補充推奨情報と、他プラントとしてのプラント４Ｂ，４Ｃの在庫部品の種別及び数量を含む他プラント在庫情報とに基づいて、プラント４Ｂ，４Ｃの各々からプラント４Ａに送付する在庫部品の種別及び数量を決定する。例えば、プラント４Ａの補充推奨情報が示す在庫部品の不足分をプラント４Ｂの在庫部品によってプラント４Ａの次回点検時までに補うことができる場合に、プラント４Ａの補充推奨情報が示す在庫部品の不足分に相当する在庫部品の種別及び数量をプラントＢからプラント４Ａに送付する在庫部品の種別及び数量として決定する。
【００６６】
次に、Ｓ１０７にて、新規手配数量決定部４１は、プラント４Ａの補充推奨情報と、他プラントとしてのプラント４Ｂ，４Ｃの在庫部品の種別及び数量を含む他プラント在庫情報とに基づいて、部品メーカーから新規に手配する必要がある部品の種別及び数量を決定する。例えば、プラント４Ａの補充推奨情報が示す在庫部品の数量の不足分のうち、プラント４Ｂ，４Ｃの在庫部品で補えない数量を部品メーカーから新規に手配する必要がある部品の数量として決定する。
【００６７】
次に、Ｓ１０８にて、補充推奨情報集約部４２は、プラント４Ａの補充推奨情報と、プラント４Ｂの補充推奨情報と、プラント４Ｃの補充推奨情報とに基づいて、プラント４Ａについての、補充推奨情報が示す交換すべき部品の数量に対する在庫部品の数量の不足分と、プラント４Ｂについての、補充推奨情報が示す交換すべき部品の数量に対する在庫部品の数量の不足分と、プラント４Ｃについての、補充推奨情報が示す交換すべき部品の数量に対する在庫部品の数量の不足分と、を集約（合計）する。
【００６８】
次に、Ｓ１０９にて、見積依頼部４４は、プラント４Ａについての、補充推奨情報が示す交換すべき部品の数量に対する在庫部品の数量の不足分と、プラント４Ｂについての、補充推奨情報が示す交換すべき部品の数量に対する在庫部品の数量の不足分と、プラント４Ｃについての、補充推奨情報が示す交換すべき部品の数量に対する在庫部品の数量の不足分と、を集約した合計数量で、部品メーカーに部品の費用及び納期の見積もりを依頼する。そして、Ｓ１１０にて、部品手配部４６は、部品の手配計画を確定する。すなわち、プラント４Ａの補充推奨情報が示す在庫部品の不足分のリストと、各部品の手配先と、各部品の手配数量とを確定する。
【００６９】
次に、Ｓ１１１にて、手配計画に基づきプラント４Ｂ，４Ｃから部品を取得して受入れを行い、Ｓ１１２にて、手配計画に基づき部品メーカーから部品を取得して受入れを行う。そして、プラント４Ｂ，４Ｃ及び部品メーカーから取得した部品に非接触電子タグが付されていない場合には、Ｓ１１３にて、該取得した部品に非接触電子タグを貼り付ける。
【００７０】
Ｓ１１４にて、プラント４Ａまでの行程途中又は倉庫等に設置された関門で、取得した部品に付された非接触電子タグの識別情報と、検出した識別情報の数（取得した部品の数）とをリーダー１０で検出する。そして、Ｓ１１５にて、プラント４Ａまでの行程途中又は倉庫等に設置された関門で、重量計１２により取得した部品の総重量を測定し、測定した部品の総重量が、Ｓ１１４で検出した識別情報及び識別情報の個数から推定される重量よりも少ないか否かを重量判定部４８が判定する。Ｓ１１５で測定した部品の総重量がＳ１１４で検出した識別情報及び識別情報の個数から推定される重量以上である場合には、Ｓ１１７にて、在庫管理ＤＢ更新部５０は、プラント４Ａに送付された部品に付された非接触電子タグ２０の識別情報の検出結果に基づいて、在庫管理システム２の在庫管理ＤＢ２４を更新する。Ｓ１１５で測定した部品の総重量がＳ１１４で検出した識別情報及び識別情報の個数から推定される重量よりも少ない場合には、リーダー１０が健全に動作していない可能性があるため、Ｓ１１６にて、リーダー１０の動作の健全性をチェックしてから在庫管理システム２の在庫管理ＤＢ２４を更新する。そして、Ｓ１１８にて、プラント４Ａの倉庫で取得した部品を管理する。
【００７１】
次に、図６及び図７を用いて、図４及び図５に示したフローの続きを説明する。ただし、図６に示すフローと図４及び図５に示したフローとは、必ずしも連続して行う必要はない。
【００７２】
まず、Ｓ１１９にて、プラント４Ａが故障等により強制停止したか否かを判定する。Ｓ１１９にてプラント４Ａが強制停止していない場合には、後述するＳ１２４に移行する。Ｓ１１９にてプラント４Ａが強制停止した場合には、Ｓ１２０にて、プラント４Ａの緊急点検と復旧に必要な部品リストを作成する。
【００７３】
次に、Ｓ１２１にてプラント４Ａの在庫部品の種別及び数量の確認を行い、Ｓ１２０で作成した部品リストの部品の数量に対するプラント４Ａの在庫部品の数量の不足分について、Ｓ１２２にて、プラント４Ｂ，４Ｃから融通可能な部品を取得して受入を行い、該部品に付された非接触電子タグ２０の識別情報及び検出された識別情報の個数をリーダー１０により検出する。そして、Ｓ１２３にて、プラント４Ａの緊急点検と復旧に必要な部品リストが示す部品の数量の不足分のうち、プラント４Ｂ，４Ｃの在庫部品で補えない数量を部品メーカーから新規に取得して受入を行い、該部品に付された非接触電子タグ２０の識別情報及び検出された識別情報の個数をリーダー１０により検出する。
【００７４】
そして、Ｓ１２４にて、Ｓ１２２でプラント４Ｂ，４Ｃから受け入れた部品と、Ｓ１２３で部品メーカーから受け入れた部品とを必要部品取り出し箱に格納し、Ｓ１２５にて、プラント４Ａの開放点検を実施する。例えばプラント４Ａがガスタービンである場合には、ガスタービンのケーシングを開放してロータの点検等を実施する。Ｓ１２５では、必要部品取り出し箱に格納された在庫部品を取り出して、在庫部品に付された非接触電子タグ２０の識別情報及び検出された識別情報の個数をリーダー１０により検出する。これにより、所有権管理部５２は、プラント４Ａの在庫部品のうちプラント４Ａの点検時にリーダー１０によって識別情報を検出された在庫部品の所有権を、プラント４Ａに在庫部品を供給するサプライヤーからプラント４Ａのユーザーに移転する移転処理を実行する。したがって、Ｓ１２５では、リーダー１０によって識別情報を検出された在庫部品は、プラント４Ａに在庫部品を供給するサプライヤーの資産から、プラント４Ａの資産となる。
【００７５】
次に、Ｓ１２６にて、必要部品取り出し箱から取り出した在庫部品の総重量を、重量計１２により測定し、測定した在庫部品の総重量が、Ｓ１２５で検出した部品の数量及び種別に対応する重量よりも少ないか否かを重量判定部４８が判定する。Ｓ１２６で測定した部品の総重量がＳ１２５で検出した識別情報及び識別情報の個数から推定される重量以上である場合には、Ｓ１２８にて、在庫管理ＤＢ更新部５０は、Ｓ１２５で検出した非接触電子タグ２０の識別情報及び識別情報の個数の検出結果に基づいて、在庫管理システム２の在庫管理ＤＢ２４を更新する。
【００７６】
Ｓ１２６で測定した部品の総重量がＳ１２５で検出した識別情報及び識別情報の個数から推定される重量よりも少ない場合には、リーダー１０が健全に動作していない可能性があるため、Ｓ１２７にてリーダー１０の動作の健全性をチェックしてから、Ｓ１２８にて在庫管理システム２の在庫管理ＤＢ２４を更新する。そして、Ｓ１２９にて、Ｓ１２５で検出した部品の種別及び数量を含む情報を、プラント４Ａ側のシステムＤＢ３０に送信し、Ｓ１３０にて、未使用部品をプラント４Ａ内の倉庫に保管して、プラント４Ａの敷地内で管理する。
【００７７】
そして、Ｓ１３１にて、取り出し数量集約部５４は、Ｓ１２５で必要部品取り出し箱から取り出された在庫部品の数量と、プラント４Ｂ、４Ｃで必要部品取り出し箱から取り出された在庫部品の数量とを集約し、Ｓ１３２にて、Ｓ１３１で集約した数量に応じて、プラント４Ａ〜４Ｃで必要部品取り出し箱から取り出した部品の補修、廃棄又はリサイクルを実施する。
【００７８】
上記在庫管理システム２によれば、対象プラント４Ａの運転時間を含む運転データ情報を考慮して点検推奨情報が決定されるため、対象プラント４Ａの運転時間に基づくタイミングで交換が必要な部品を、次回の点検時に不足しないように補充推奨情報に基づいて補充することができる。
【００７９】
また、点検推奨情報における交換すべき部品の数量に対する対象プラント４Ａの在庫部品の数量の不足分を補充推奨情報に基づいて補充することにより、対象プラント４Ａの次回の点検に必要な部品を適切に確保することができる。
【００８０】
また、送付数量決定部４０が決定した在庫部品の種別及び数量を他プラント４Ｂ，４Ｃから対象プラント４Ａに送付することにより、対象プラント４Ａの在庫部品の不足分を、部品メーカーに在庫がなくとも速やかに対象プラント４Ａが取得することができる。また、複数のプラント４Ａ〜４Ｃ間で在庫部品を融通可能とすることにより、各プラント４に必要な在庫部品の数量を低減することができ、プラント４Ａ〜４Ｃにおける在庫部品の保管スペースを他の用途に有効活用することができる。
【００８１】
また、対象プラント４Ａの在庫部品の数量の不足分と他プラント４Ｂ，４Ｃの在庫部品の数量の不足分を集約した数量で見積依頼することにより、対象プラント４Ａの在庫部品の数量の不足分と他プラント４Ｂ，４Ｃの在庫部品の数量の不足分とを別々に見積依頼する場合と比較して、ボリュームディスカウントの適用を受けやすくなり、在庫部品の購入費用を削減することが容易となる。
【００８２】
また、リーダー１０によって検出した識別情報とリーダー１０によって検出した識別情報の個数とを考慮して、在庫部品の種別及び数量を良好な精度で管理することができる。
【００８３】
また、対象プラント４Ａのユーザーは、対象プラント４Ａに部品の保管場所を用意するだけで部品の資産管理（償却等）が不要となり、部品の廃棄やリサイクルは部品のサプライヤー側が行うことができるため、費用の節約が可能となる。
【００８４】
また、対象プラント４Ａで在庫部品の識別情報をリーダー１０で検出することにより、サプライヤーから対象プラント４Ａのユーザーへの所有権の移転を適切且つスムーズに行うことができる。
【００８５】
本発明は上述した実施形態に限定されることはなく、上述した実施形態に変形を加えた形態や、これらの形態を適宜組み合わせた形態も含む。
例えば、上述した実施形態では、在庫管理システムは、複数のプラントの在庫部品を管理する場合を例示したが、他の実施形態では、在庫管理システムは、１つのプラントの在庫部品を管理するように構成されていてもよい。すなわち、在庫管理システムは、少なくとも１つのプラントの在庫部品を管理するように構成されていればよい。
【符号の説明】
【００８６】
２  在庫管理システム
４（４Ａ，４Ｂ，４Ｃ，４Ｄ，４Ｅ）  プラント
６  制御部
８  記憶部
１０  リーダー
１２  重量計
１４  通信インターフェース
１６  表示部
１８  操作受付部
１９  バス
２０  非接触電子タグ
２４  在庫管理ＤＢ（サプライヤー側）
２６  ＢＯＭ情報ＤＢ
２８  プラント監視サーバ
３０  システムＤＢ
３２  在庫管理ＤＢ（ユーザー側）
３４  在庫情報取得部
３６  点検推奨情報決定部
３８  補充推奨情報出力部
４０  送付数量決定部
４１  新規手配数量決定部
４２  補充推奨情報集約部
４４  見積依頼部
４６  部品手配部
４８  重量判定部
５０  在庫管理ＤＢ更新部
５２  所有権管理部
５４  取り出し数量集約部
【図１】
2020164268.tif 000003
【図２】
2020164268.tif 000004
【図３】
2020164268.tif 000005
【図４】
2020164268.tif 000006
【図５】
2020164268.tif 000007
【図６】
2020164268.tif 000008
【図７】
2020164268.tif 000009